(57)【要約】 【課題】  画像処理装置と無線通信可能な端末装置の表示部に項目を適切に表示する。【解決手段】  端末装置は、２種類の無線通信方式とを用いて、第１の画像処理装置と接続する接続部と、画像処理に関する指示をユーザから受け付けるための第１種の項目および第２種の項目を含む選択画像として第１の画像を端末装置の表示部に表示させる表示制御部と、選択画像を介してユーザから画像処理の実行指示が受け付けられた場合に、第１の無線通信方式を用いて、第１の画像処理装置に対して画像処理の実行を指示する実行指示部と、を備える。表示制御部は、第１の画像を表示部に表示させる前に、第２の無線通信方式を用いて端末装置と第１の画像処理装置とが接続された場合に、第２の画像を選択画像として表示部に表示させる。第１の画像では、第１種の項目が第２種の項目より優先的に表示され、第２の画像では、第２種の項目が第１種の項目より優先的に表示される。【選択図】  図５
2015015518.tif 000002
【特許請求の範囲】
【請求項１】
端末装置のためのコンピュータプログラムであって、
第１の無線通信方式を用いて、前記第１の画像処理装置と接続する第１の接続機能と、
画像処理に関する指示をユーザから受け付けるための第１の項目および第２の項目を含む選択画像として第１の画像を前記端末装置の表示部に表示させる表示制御機能と、
前記選択画像を介してユーザから前記画像処理の実行指示が受け付けられた場合に、前記第１の無線通信方式を用いて、前記第１の画像処理装置に対して前記画像処理の実行を指示する実行指示機能と、
を前記端末装置に搭載されたコンピュータに実現させ、
前記コンピュータプログラムは、さらに、
第２の無線通信方式を用いて、前記第１の画像処理装置と接続する第２の接続機能を、前記端末装置に搭載された前記コンピュータに実現させ、  前記表示制御機能は、前記第１の画像を前記表示部に表示させる前に、前記第２の無線通信方式を用いて前記端末装置と前記第１の画像処理装置とが接続された場合に、前記第１の画像と異なる第２の画像を前記選択画像として前記表示部に表示させ、
前記第１の画像では、前記第１の項目が前記第２の項目より優先的に表示され、
前記第２の画像では、前記第２の項目が前記第１の項目より優先的に表示される、コンピュータプログラム。
【請求項２】
請求項１に記載のコンピュータプログラムであって、
前記第２の無線通信方式は、前記第１の無線通信方式より通信可能な距離が短い方式である、コンピュータプログラム。
【請求項３】
請求項２に記載のコンピュータプログラムであって、
前記第１の項目は、前記第１の画像処理装置に関する設定指示を受け付けるための項目であり、
前記第２の項目は、前記第１の画像処理装置に対する画像処理の実行指示を受け付けるための項目である、コンピュータプログラム。
【請求項４】
請求項１ないし請求項３のいずれかに記載のコンピュータプログラムであって、
前記表示制御機能は、さらに、前記第１の画像を介してユーザから特定の操作が受け付けられた後に、前記第２の無線通信方式を用いて前記端末装置と前記第１の画像処理装置とが接続された場合に、前記第２の画像とは異なる第３の画像を前記選択画像として前記表示部に表示させる、コンピュータプログラム。
【請求項５】
請求項４に記載のコンピュータプログラムであって、
前記第１の項目は、第１の画像処理に関する第１のサブ項目と、第２の画像処理に関する第２のサブ項目と、を含み、
前記コンピュータプログラムは、さらに、
前記第１の画像において、前記第１のサブ項目と、前記第２のサブ項目と、のうちのいずれの項目が選択されたかを判断する判断機能を、
前記前記端末装置に搭載されたコンピュータに実現させ、
前記第３の画像では、前記第１のサブ項目と前記第２のサブ項目とのうち選択された項目に対応する画像処理に関する項目が、選択されなかった項目に対応する画像処理に関する項目より優先的に表示される、コンピュータプログラム。
【請求項６】
請求項１ないし請求項５のいずれかに記載のコンピュータプログラムであって、
前記第２の接続機能は、前記第２の無線通信方式を用いて、第２の画像処理装置と接続可能であり、
前記表示制御機能は、
前記第１の画像処理装置のための前記選択画像が表示された後に、前記第２の無線通信方式を用いて前記端末装置と前記第２の画像処理装置とが接続された場合に、第４の画像を前記第２の画像処理装置のための前記選択画像として前記表示部に表示させ、
前記第１の画像処理装置のための前記選択画像が表示されることなく、前記端末装置と前記第２の画像処理装置とが接続された場合に、前記第４の画像とは異なる第５の画像を前記第２の画像処理装置のための前記選択画像として前記表示部に表示させる、コンピュータプログラム。
【請求項７】
請求項６に記載のコンピュータプログラムであって、
前記第２の画像処理装置のための前記選択画像に含まれる前記第１の項目は、第３の画像処理に関する第３のサブ項目と、第４の画像処理に関する第４のサブ項目と、を含み、
前記第３の画像処理は、前記第２の画像処理装置にて実行できる機能であって、前記第１の画像処理装置にて実行できない機能を含み、
前記第４の画像では、前記第３のサブ項目が前記第４のサブ項目より優先的に表示される、コンピュータプログラム。
【請求項８】
請求項１ないし請求項７のいずれかに記載のコンピュータプログラムであって、
前記第１の無線通信方式は、３個以上の装置が参加可能なネットワークを用いる方式であり、
前記第２の無線通信方式は、一対一の装置間通信を行うための方式であり、
前記表示制御機能は、
前記第１の無線通信方式の前記ネットワークに接続された複数個の画像処理装置の中から、ユーザが１個の画像処理装置を指定するための指定画像を前記表示部に表示させ、
前記指定画像を介して前記第１の画像処理装置が指定された場合に、前記第１の画像を前記表示部に表示させ、
前記第２の無線通信方式を用いて前記端末装置と前記第１の画像処理装置とが一対一で接続されることによって、前記第１の画像処理装置が指定された場合に、前記第２の画像を前記表示部に表示させる、コンピュータプログラム。
【請求項９】
端末装置であって、
第１の無線通信方式を用いて、前記第１の画像処理装置と接続する第１の接続部と、
画像処理に関する指示をユーザから受け付けるための第１の項目および第２の項目を含む選択画像として第１の画像を前記端末装置の表示部に表示させる表示制御部と、
前記選択画像を介してユーザから前記画像処理の実行指示が受け付けられた場合に、前記第１の無線通信方式を用いて、前記第１の画像処理装置に対して前記画像処理の実行を指示する実行指示部と、
を備え、
前記端末装置は、さらに、第２の無線通信方式を用いて、前記第１の画像処理装置と接続する第２の接続部を備え、
前記表示制御部は、前記第１の画像を前記表示部に表示させる前に、前記第２の無線通信方式を用いて前記端末装置と前記第１の画像処理装置とが接続された場合に、前記第１の画像と異なる第２の画像を前記選択画像として前記表示部に表示させ、
前記第１の画像では、前記第１種の項目が前記第２種の項目より優先的に表示され、
前記第２の画像では、前記第２種の項目が前記第１種の項目より優先的に表示される、端末装置。
【発明の詳細な説明】
【技術分野】
【０００１】
本発明は、無線通信を用いて画像処理装置と通信する端末装置の制御に関し、特に、該端末装置の表示部に選択画像を表示するための制御に関する。
【背景技術】
【０００２】
スマートフォンなどの端末装置から、複合機などの画像処理装置に対して、無線通信を用いて、印刷指示を行うことが行われている。ここで、ユーザの利便性の向上などのために、端末装置の表示部に表示される項目の工夫がなされている。例えば、特許文献１には、携帯電話などの端末装置の機能選択画面に表示される機能名称の表示順序を、端末装置の周りの環境に応じて異ならせる技術が開示されている。具体的には、携帯電話は、赤外線通信などの近距離無線通信を用いて、携帯電話の近傍に位置する他の携帯電話の個数を検知する。携帯電話は、検知された他の携帯電話の個数に応じて、選択される可能性が高い機能の名称を、優先的に表示する。
【先行技術文献】
【特許文献】
【０００３】
【特許文献１】特開２００９−３３２５６号公報
【発明の概要】
【発明が解決しようとする課題】
【０００４】
本発明の目的は、画像処理装置と無線通信可能な端末装置の表示部に、項目を適切に表示できる技術を提供することである。
【課題を解決するための手段】
【０００５】
本発明は、上述の課題の少なくとも一部を解決するためになされたものであり、以下の適用例として実現することが可能である。
【０００６】
［適用例１］端末装置のためのコンピュータプログラムであって、第１の無線通信方式を用いて、前記第１の画像処理装置と接続する第１の接続機能と、画像処理に関する指示をユーザから受け付けるための第１の項目および第２の項目を含む選択画像として第１の画像を前記端末装置の表示部に表示させる表示制御機能と、前記選択画像を介してユーザから前記画像処理の実行指示が受け付けられた場合に、前記第１の無線通信方式を用いて、前記第１の画像処理装置に対して前記画像処理の実行を指示する実行指示機能と、
を前記端末装置に搭載されたコンピュータに実現させ、前記コンピュータプログラムは、さらに、第２の無線通信方式を用いて、前記第１の画像処理装置と接続する第２の接続機能を、前記端末装置に搭載された前記コンピュータに実現させ、前記表示制御機能は、前記第１の画像を前記表示部に表示させる前に、前記第２の無線通信方式を用いて前記端末装置と前記第１の画像処理装置とが接続された場合に、前記第１の画像と異なる第２の画像を前記選択画像として前記表示部に表示させ、前記第１の画像では、前記第１の項目が前記第２の項目より優先的に表示され、前記第２の画像では、前記第２の項目が前記第１の項目より優先的に表示される、コンピュータプログラム。
【０００７】
上記構成によれば、第２の無線通信方式を用いて端末装置と第１の画像処理装置とが接続されたか否かに応じて、優先的に表示される項目が互いに異なる選択画像が端末装置の表示部に表示される。したがって、端末装置の表示部に、複数個の項目を適切に表示することができる。
【０００８】
［適用例２］適用例１に記載のコンピュータプログラムであって、前記第２の無線通信方式は、前記第１の無線通信方式より通信可能な距離が短い方式である、コンピュータプログラム。
【０００９】
この構成によれば、通信可能な距離が比較的短い第２の無線通信方式を用いて端末装置と第１の画像処理装置とが接続されたか否かに応じて優先的に表示される項目が互いに異なる選択画像が端末装置の表示部に表示される。この結果、端末装置と第１の画像処理装置との距離が比較的短いか否かに応じて、優先的に表示される項目が互いに異なる選択画像が端末装置の表示部に表示される。したがって、端末装置の表示部に、複数個の項目をより適切に表示することができる。
【００１０】
［適用例３］適用例２に記載のコンピュータプログラムであって、前記第１の項目は、前記第１の画像処理装置に関する設定指示を受け付けるための項目であり、前記第２の項目は、前記第１の画像処理装置に対する画像処理の実行指示を受け付けるための項目である、コンピュータプログラム。
【００１１】
画像処理を実行する場合には、画像処理の実行準備や、画像処理の実行結果の確認などが必要となる場合が多い。このために、ユーザ（端末装置）が第１の画像処理装置に比較的近い位置に存在する場合には、画像処理の実行指示が行われる可能性が比較的高く、ユーザ（端末装置）が第１の画像処理装置に比較的遠い位置に存在する場合には、画像処理の実行指示が行われる可能性が比較的低いと、考えられる。この構成によれば、画像処理の実行指示が行われる可能性が比較的高い場合に、実行指示を受け付けるための項目が端末装置に優先的に表示され、画像処理の実行指示が行われる可能性が比較的低い場合に、設定指示を受け付けるための項目が端末装置に優先的に表示される。この結果、ユーザに選択される可能性が高い項目を優先的に表示することで、選択画像の利便性を向上することができる。
【００１２】
［適用例４］適用例１ないし適用例３のいずれかに記載のコンピュータプログラムであって、前記表示制御機能は、さらに、前記第１の画像を介してユーザから特定の操作が受け付けられた後に、前記第２の無線通信方式を用いて前記端末装置と前記第１の画像処理装置とが接続された場合に、前記第２の画像とは異なる第３の画像を前記選択画像として前記表示部に表示させる、コンピュータプログラム。
【００１３】
この構成によれば、第１の画像を介してユーザから特定の操作が受け付けられた後か否かに応じて、互いに異なる選択画像が端末装置の表示部に表示される。したがって、端末装置の表示部に、より適切な選択画像を表示し得る。
【００１４】
［適用例５］適用例４に記載のコンピュータプログラムであって、前記第１の項目は、第１の画像処理に関する第１のサブ項目と、第２の画像処理に関する第２のサブ項目と、を含み、前記コンピュータプログラムは、さらに、前記第１の画像において、前記第１のサブ項目と、前記第２のサブ項目と、のうちのいずれの項目が選択されたかを判断する判断機能を、前記前記端末装置に搭載されたコンピュータに実現させ、前記第３の画像では、前記第１のサブ項目と前記第２のサブ項目とのうち選択された項目に対応する画像処理に関する項目が、選択されなかった項目に対応する画像処理に関する項目より優先的に表示される、コンピュータプログラム。
【００１５】
第１の画像において、画像処理に関する項目が選択された場合には、ユーザは選択された項目に対応する画像処理機能を利用する可能性が高いと考えられる。この構成によれば、第３の画像では、選択された項目に対応する画像処理機能に関する項目が、選択されなかった項目に対応する画像処理機能に関する項目より優先的に表示されるので、利用される可能性が高い画像処理機能に関する項目を優先的に表示することができる。したがって、したがって、端末装置の表示部に、複数個の項目をより適切に表示することができる。
【００１６】
［適用例６］適用例１ないし適用例５のいずれかに記載のコンピュータプログラムであって、前記第２の接続機能は、前記第２の無線通信方式を用いて、第２の画像処理装置と接続可能であり、前記表示制御機能は、前記第１の画像処理装置のための前記選択画像が表示された後に、前記第２の無線通信方式を用いて前記端末装置と前記第２の画像処理装置とが接続された場合に、第４の画像を前記第２の画像処理装置のための前記選択画像として前記表示部に表示させ、前記第１の画像処理装置のための前記選択画像が表示されることなく、前記端末装置と前記第２の画像処理装置とが接続された場合に、前記第４の画像とは異なる第５の画像を前記第２の画像処理装置のための前記選択画像として前記表示部に表示させる、コンピュータプログラム。
【００１７】
この構成によれば、第１の画像処理装置のための選択画像が表示された後に、第２の無線通信方式を用いて端末装置と第２の画像処理装置とが接続された場合と、第１の画像処理装置のための選択画像が表示されることなく、端末装置と第２の画像処理装置とが接続された場合とで、第２の画像処理装置の選択画像として表示される画像が互いに異なる。この結果、第２の画像処理装置の選択画像としてより適切な画像を表示し得る。
【００１８】
［適用例７］適用例６に記載のコンピュータプログラムであって、前記第２の画像処理装置のための前記選択画像に含まれる前記第１の項目は、第３の画像処理に関する第３のサブ項目と、第４の画像処理に関する第４のサブ項目と、を含み、前記第３の画像処理は、前記第２の画像処理装置にて実行できる機能であって、前記第１の画像処理装置にて実行できない機能を含み、前記第４の画像では、前記第３のサブ項目が前記第４のサブ項目より優先的に表示される、コンピュータプログラム。
【００１９】
第１の画像処理装置のための選択画像が表示された後に、第２の画像処理装置のための選択画像が表示される場合には、第２の画像処理装置にて実行できる機能であって、第１の画像処理装置にて実行できない機能が利用される可能性が比較的高い。この構成によれば、利用される可能性が比較的高い機能を含む画像処理に関する項目を優先的に表示することができる。したがって、端末装置の表示部に、複数個の項目をより適切に表示することができる。
【００２０】
［適用例８］適用例１ないし適用例７のいずれかに記載のコンピュータプログラムであって、前記第１の無線通信方式は、３個以上の装置が参加可能なネットワークを用いる方式であり、前記第２の無線通信方式は、一対一の装置間通信を行うための方式であり、前記表示制御機能は、前記第１の無線通信方式の前記ネットワークに接続された複数個の画像処理装置の中から、ユーザが１個の画像処理装置を指定するための指定画像を前記表示部に表示させ、前記指定画像を介して前記第１の画像処理装置が指定された場合に、前記第１の画像を前記表示部に表示させ、前記第２の無線通信方式を用いて前記端末装置と前記第１の画像処理装置とが一対一で接続されることによって、前記第１の画像処理装置が指定された場合に、前記第２の画像を前記表示部に表示させる、コンピュータプログラム。
【００２１】
この構成によれば、第１の画像処理装置の指定の態様によって、優先的に表示される項目が互いに異なる選択画像が端末装置の表示部に表示される。したがって、端末装置の表示部に、複数個の項目を適切に表示することができる。
【００２２】
本発明は、種々の形態で実現することが可能であり、例えば、上記コンピュータプログラムの機能を実現する方法、端末装置、コンピュータプログラムを記録した記録媒体、等の形態で実現することができる。
【図面の簡単な説明】
【００２３】
【図１】実施例のシステムの構成を示すブロック図である。
【図２】機能情報ＦＤａ、ＦＤｂの一例を示す図である。
【図３】図１のシステムの動作の概要を示すシーケンス図である。
【図４】ＵＩ画像表示処理のフローチャートである。
【図５】ＵＩ画像の遷移を示す状態遷移図である。
【発明を実施するための形態】
【００２４】
Ａ．第１実施例
Ａ−１．システムの構成
次に、本発明の実施の形態を実施例に基づき説明する。図１は、実施例のシステムの構成を示すブロック図である。このシステムは、端末装置としての携帯端末４００と、複数個の画像処理装置としての複合機２００Ａ、２００Ｂと、無線によってローカルエリアネットワーク（ＬＡＮ）を構築するアクセスポイント５０と、を備えている。
【００２５】
アクセスポイント５０は、例えば、ＩＥＥＥ８０２．１１ａ／ｂ／ｇ／ｎの規格に従った通信方式を用いて無線ＬＡＮのアクセスポイントとしての機能を実現する。複合機２００Ａ、２００Ｂと、携帯端末４００とは、アクセスポイント５０を介して、インフラストラクチャーモードを用いた無線通信を行うことが可能である。
【００２６】
複合機２００Ｂは、ＣＰＵ２１０と、ＲＡＭなどの揮発性記憶装置２２０と、ハードディスクドライブやフラッシュメモリなどの不揮発性記憶装置２３０と、所定の方式（例えば、インクジェット、レーザー）で画像を印刷するプリントエンジンであるプリンタ部２４０と、光学センサ（例えば、ＣＩＳ（Contact Image Sensor））を用いて、原稿を光学的に読み取るスキャナ部２５０と、電話回線と接続するインタフェースである電話回線ＩＦ２６０と、を備える。複合機２００Ｂは、さらに、タッチパネルやボタンなどの操作部２７０と、タッチパネルと重畳された液晶などの表示パネルを含む表示部２８０と、無線ＬＡＮＩＦ２９０と、ＮＦＣＩＦ２９５と、を備えている。
【００２７】
揮発性記憶装置２２０には、ＣＰＵ２１０が処理を行う際に生成される種々の中間データを一時的に格納するバッファ領域２２１が設けられている。不揮発性記憶装置２３０は、複合機２００Ｂを制御するための制御プログラム２３１と、後述する機能情報ＦＤｂと、を格納している。
【００２８】
制御プログラム２３１は、例えば、複合機２００Ｂの出荷時に予め不揮発性記不揮発性記憶装置２３０に格納されている。また、制御プログラム２３１は、ＣＤ−ＲＯＭなどに記録された形態や、サーバからダウンロードする形態で提供され得る。
【００２９】
ＣＰＵ２１０は、制御プログラム２３１を実行することにより、複合機２００Ｂを制御して、複数個の画像処理機能を実行することができる。具体的には、ＣＰＵ２１０は、プリンタ部２４０を制御して印刷処理を実行し、スキャナ部２５０を制御してスキャン処理を実行する。また、ＣＰＵ２１０は、スキャナ部２５０によって読み取られた原稿をＦＡＸＧ３やＦＡＸＧ４などの規格に従った画像データに変換して電話回線ＩＦ２６０を介して外部機器に送信する機能と、電話回線ＩＦ２６０を介して外部機器から画像データを受信し、該画像データによって表される画像を、プリンタ部２４０を用いて印刷する機能と、を含むファックス処理を実行する。これらの画像処理は、ユーザの実行指示に基づいて実行される。また、ＣＰＵ２１０は、画像処理に関する各種の設定をユーザの指示に基づいて実行する。ユーザの実行指示や設定指示は、例えば、操作部２７０を介して受け付けられる。あるいは、ユーザの実行指示や設定指示は、ユーザの携帯端末４００を介して受け付けられる。
【００３０】
無線ＬＡＮＩＦ２９０は、アンテナを含み、例えば、ＩＥＥＥ（The Institute of Electrical and Electronics Engineers, Inc）の８０２．１１の規格、及び、それに準ずる規格（例えば、８０２．１１ａ、１１ｂ、１１ｇ、１１ｎ等）に従って２つの無線通信を実行して、携帯端末４００などの外部機器と通信を行うことができる。２つの無線通信は、別体のアクセスポイント５０を介して実行される通常のWi-Fi通信（略して、通常ＷＦ通信とも呼ぶ）と、アクセスポイント５０を介することなく実行されるWi-Fi Direct通信（略してＷＦＤ通信とも呼ぶ）である。通常ＷＦ通信およびＷＦＤ通信は、第１の無線通信方式を用いた通信の例である。無線ＬＡＮＩＦ２９０を用いたネットワークは、３個以上の装置が参加可能である。
【００３１】
ＮＦＣＩＦ２９５は、ＮＦＣ（Near Field Communication）規格に従った近距離無線通信を実行するためのインタフェースである。ＮＦＣＩＦ２９５を用いた通信は、一対一の装置間通信である。ＮＦＣ通信は、第２の無線通信方式を用いた通信の例である。
【００３２】
複合機２００Ａは、電話回線ＩＦ２９５を備えていない。そして、複合機２００Ｂの制御プログラム２３１は、ファクシミリ処理を実現するためのプログラムを含んでいない。複合機２００Ａのその他の構成は、上述した複合機２００Ｂと、同様である。
【００３３】
図２は、機能情報ＦＤａ、ＦＤｂの一例を示す図である。図２（Ａ）に示す複合機２００Ａの機能情報ＦＤａは、複合機２００Ａが実行可能な機能の内容が記述された情報である。複合機２００Ａは、プリント機能と、スキャン機能と、を実行することができる。複合機２００Ａは、ファックス機能を実行できない。複合機２００Ａのプリント機能は、Ａ４用紙に対するプリント機能のみを実行でき、Ａ３用紙に対するプリント機能を実行できない。複合機２００Ａのスキャン機能は、６００ｄｐｉ（dot per inch）の読み取り解像度で読み取りを行うスキャン機能と、３００ｄｐｉ（dot per inch）の読み取り解像度で読み取りを行うスキャン機能と、を実行できる。
【００３４】
図２（Ｂ）に示す複合機２００Ｂの機能情報ＦＤｂは、複合機２００Ｂが実行可能な機能の内容が記述された情報である。複合機２００Ｂは、プリント機能と、スキャン機能と、ファックス機能と、を実行することができる。複合機２００Ｂのプリント機能は、Ａ４用紙に対するプリント機能と、Ａ３用紙に対するプリント機能と、を実行できる。複合機２００Ｂのスキャン機能は、６００ｄｐｉ（dot per inch）の読み取り解像度で読み取りを行うスキャン機能と、３００ｄｐｉ（dot per inch）の読み取り解像度で読み取りを行うスキャン機能と、を実行できる。
【００３５】
携帯端末４００は、例えば、スマートフォンと呼ばれる多機能携帯電話である。携帯端末４００は、ＣＰＵ４１０と、ＲＡＭなどの揮発性記憶装置４２０と、ハードディスクドライブやフラッシュメモリなどの不揮発性記憶装置４３０と、無線ＬＡＮＩＦ４４０と、電話ＩＦ４５０と、スピーカやマイクを含み電話機能などを実現するための音声処理部４６０と、タッチパネルや操作キーなどを含む操作部４７０と、タッチパネルと重畳された液晶パネルなどを含む表示部４８０と、ＮＦＣＩＦ４９０と、を主に備えている。
【００３６】
無線ＬＡＮＩＦ４４０は、アンテナを含み、例えば、上述したＩＥＥＥの８０２．１１等の規格に従って通常ＷＦ通信や、ＷＦＤ通信を実行して外部機器との通信を行うことができる。例えば、無線ＬＡＮＩＦ４４０は、後述するように、複合機２００Ａ、２００Ｂへの印刷ジョブの送信や、複合機２００Ａ、２００Ｂからのメッセージの受信のために用いられる。すなわち、携帯端末４００のＣＰＵ４１０は、無線ＬＡＮＩＦ４４０を制御して、第１の無線通信方式としての通常ＷＦ通信やＷＦＤ通信を用いて、複合機２００Ａ、２００Ｂと接続する機能を有する。
【００３７】
ＮＦＣＩＦ４９０は、ＮＦＣ規格に従った近距離無線通信を実行するためのインタフェースである。すなわち、携帯端末４００のＣＰＵ４１０は、ＮＦＣＩＦ４９０を制御して、第２の無線通信方式としてのＮＦＣ通信を用いて、複合機２００Ａ、２００Ｂと接続する機能を有する。
【００３８】
電話ＩＦ４５０は、アンテナを含み、基地局（図示省略）との間で携帯電話通信の方式（例えば、Ｗ−ＣＤＭＡ）に準拠する無線通信を行う。電話ＩＦ４５０は、例えば、電話や、基地局を介したインターネットへの接続などに用いられる。
【００３９】
揮発性記憶装置４２０には、ＣＰＵ４１０が処理を行う際に生成される種々の中間データを一時的に格納するバッファ領域４２５が設けられている。
【００４０】
不揮発性記憶装置４３０には、制御プログラムＰＧ１と、デバイス利用プログラムＰＧ２と、が格納されている。制御プログラムＰＧ１は、ＯＳ（オペレーティングシステム）の機能や、電話機能など、携帯端末４００の基本機能を実現するプログラムである。制御プログラムＰＧ１は、例えば、携帯端末４００の製造者によって提供され、出荷時に予め格納されている。デバイス利用プログラムＰＧ２は、複合機２００Ａ、２００Ｂの複数個の画像処理の機能（例えば、プリント機能、スキャン機能、ファクシミリ機能）を遠隔操作するための機能を実現するプログラムである。デバイス利用プログラムＰＧ２は、携帯端末４００に新たな機能を追加するプログラム（「アプリ」などと呼ばれる。）であり、例えば、携帯端末４００の製造者とは異なる提供者（例えば、複合機２００Ａ、２００Ｂの製造者）によって、所定のサーバからダウンロードする形態で、提供される。また、デバイス利用プログラムＰＧ２は、例えば、携帯端末４００の製造者によって提供され、出荷時に予め格納されていても良い。
【００４１】
ＣＰＵ４１０は、制御プログラムＰＧ１を実行することによって、携帯端末４００の基本機能を実現する。また、ＣＰＵ４１０は、デバイス利用プログラムＰＧ２を実行することによって、後述するように、ユーザから複合機２００Ａ、２００Ｂに対する指示を受け付けるユーザインタフェース機能や、ユーザの指示に応じて複合機２００Ａ、２００Ｂに対して設定指示や実行指示を送信する機能を実現する。
【００４２】
なお、複合機２００Ａ、２００Ｂの無線ＬＡＮＩＦ２９０と、ＮＦＣＩＦ２９５とは、互いに独立して動作可能である。また、携帯端末４００の無線ＬＡＮＩＦ４４０と、ＮＦＣＩＦ４９０とは、互いに独立して動作可能である。このために、複合機２００Ａと、携帯端末４００とは、無線ＬＡＮＩＦを介した通信（通常ＷＦ通信やＷＦＤ通信）と、ＮＦＣＩＦを介した通信と、を並行して行うことができる。
【００４３】
Ａ−２．システムの動作
図３は、図１のシステムの動作の概要を示すシーケンス図である。
システムの動作は、携帯端末４００のユーザが、携帯端末４００にてデバイス利用プログラムＰＧ２を起動した場合に、開始される。ユーザは、例えば、携帯端末４００に保存された画像データを用いて印刷を行いたい場合など、複合機２００Ａ、２００Ｂの画像処理機能を利用したい場合に、デバイス利用プログラムＰＧ２を起動する。この時点で、複合機２００Ａ、２００Ｂには、電源が投入されており、複合機２００Ａ、２００ＢのＣＰＵ２１０が制御プログラム２３１を実行して、設定指示や実行指示を受付可能な状態になっているものとする。また、複合機２００Ａ、２００Ｂは、アクセスポイント５０との接続を確立して、アクセスポイント５０が構築する無線ＬＡＮに参加している状態となっているものとする。以下に説明する携帯端末４００のＣＰＵ４１０の動作は、デバイス利用プログラムＰＧ２を実行することによって実現される動作である。
【００４４】
先ず、携帯端末４００のＣＰＵ４１０は、デバイス利用プログラムＰＧ２が起動されると、アクセスポイント５０との接続を確立してアクセスポイント５０が構築する無線ＬＡＮに参加する（通常ＷＦ通信の接続の確立）。具体的には、ＣＰＵ４１０は、アクセスポイント５０に問い合わせを行って、ＳＳＩＤ（Service Set Identifier）やＢＳＳＩＤ（Basic Service Set Identifier）などの無線ＬＡＮに参加するために必要な情報を取得する。ＣＰＵ４１０は、当該情報を用いて、アクセスポイント５０とのアソーシエーション処理などを行って、アクセスポイント５０との接続を確立する。
【００４５】
携帯端末４００のＣＰＵ４１０は、続いて、表示部４８０に、ユーザの指示を受け付けるための各種のＵＩ画像を表示するＵＩ画像表示処理や、複合機２００Ａ、２００Ｂとの通信処理とを、実行する。
【００４６】
複合機２００Ａ、２００ＢのＣＰＵ２１０は、携帯端末４００との通信処理と、携帯端末４００からの設定指示に基づく設定処理と、携帯端末４００からの実行指示に基づく画像処理と、を実行する。
【００４７】
携帯端末４００と、複合機２００Ａ、２００Ｂと、の通信処理は、通常ＷＦ通信を用いて、機種情報を取得する処理を含む。
【００４８】
また、携帯端末４００と、複合機２００Ａ、２００Ｂと、の通信処理は、ＮＦＣ通信の接続を確立する処理を含む。複合機２００Ａ、２００ＢのＮＦＣＩＦ２９５は、ＮＦＣ通信を実行可能な機器（例えば、携帯端末４００）を検出するための検出電波を発信している。例えば、携帯端末４００のユーザが、携帯端末４００を、複合機２００ＡのＮＦＣＩＦ２９５に、検出電波が届く距離（例えば５ｃｍ）まで近づける。そうすると、携帯端末４００のＮＦＣＩＦ４９０は、複合機２００ＡのＮＦＣＩＦ２９５からの検出電波を受信して、応答電波を送信する。この結果、携帯端末４００と複合機２００Ａとの間に、ＮＦＣ通信の接続が確立される。
【００４９】
なお、携帯端末４００と、複合機２００Ａまたは複合機２００Ｂとの間に、ＮＦＣ通信の接続が確立されると、携帯端末４００と、複合機２００Ａまたは複合機２００Ｂとの間に、通常のＷＦ通信に代えて、ＷＦＤ通信の接続を確立する処理（ハンドオーバーとも呼ぶ）が実行される。例えば、確立されたＮＦＣ通信を用いて、ＷＦＤ通信のための設定情報が、複合機２００Ａから携帯端末４００に送信される。携帯端末４００と複合機２００Ａとは、例えば、ＷＦＤ通信のための設定情報を用いて、携帯端末４００をクライアント装置とし、複合機２００Ａをグループオーナー装置とするＷＦＤ通信の接続を確立する。
なお、グループオーナー装置は、ＷＦＤ通信においてアクセスポイントとしての役割を担う装置である。ＷＦＤ通信を行う各装置が、グループオーナー装置とクライアント装置とのいずれで動作するかは、装置間で実行される所定のネゴシエーション通信によって決定される。ＷＦＤ通信のための設定情報は、例えば、ＳＳＩＤ、ＢＳＳＩＤ、および、パスワードなどのセキュリティ情報を含む。後述する図４のフローチャートでは逐一の説明は省略するが、特定のデバイス（例えば、複合機２００Ａまたは複合機２００Ｂ）と携帯端末４００とのＮＦＣ通信の接続が確立される度に、特定のデバイスと携帯端末４００との間に、ＷＦＤ通信の接続を確立する処理が実行されるものとする。ＷＦＤ通信の接続が確立されると、その後に、携帯端末４００が特定のデバイスから離れた場合でも、携帯端末４００と特定のデバイスとの１対１の通信が継続できる。また、単位時間あたりにＷＦＤ通信で送受信可能なデータ量は、単位時間あたりにＮＦＣ通信で送受信可能なデータ量より大きいので、例えば、携帯端末４００は、ＷＦＤ通信を用いて、印刷データなどの比較的サイズが大きなデータを、容易に特定のデバイスに送信することができる。
【００５０】
携帯端末４００と、複合機２００Ａ、２００Ｂと、の通信処理は、複合機２００Ａ、２００Ｂから携帯端末４００に機能情報（図２）を送信する処理や、携帯端末４００から複合機２００Ａ、２００Ｂに、画像処理に関する指示（設定指示や実行指示）や画像処理に用いる画像データを送信する処理を含む。これらの通信処理は、ＷＦＤ通信の接続が確立されている場合には、ＷＦＤ通信を用いて実行され、ＷＦＤ通信の接続が確立されていない場合には、通常ＷＦ通信を用いて実行される。
【００５１】
このようなシステムの動作を、携帯端末４００のＣＰＵ４１０によって実行されるＵＩ画像表示処理を中心に説明する。
【００５２】
図４は、ＵＩ画像表示処理のフローチャートである。まず、ＣＰＵ４１０は、上述したように、アクセスポイント５０にアクセスして、通常ＷＦ通信の接続を確立する（ステップＳ１１）。すなわち、携帯端末４００は、複合機２００Ａ、２００Ｂが属するＬＡＮに参加する。
【００５３】
ステップＳ１２では、携帯端末４００のＣＰＵ４１０は、無線ＬＡＮを介して接続された複数個のデバイス、本実施例では、複合機２００Ａ、２００Ｂの機種情報を取得する。具体的には、ＣＰＵ４１０は、機種情報を問い合わせるコマンドを、ＬＡＮ内にブロードキャストする。コマンドには、例えば、携帯端末４００に格納されたデバイス利用プログラムＰＧ２を特定することができる情報が含まれている。問い合わせコマンドを受信したデバイス、例えば、複合機２００Ａ、３００Ｂは、デバイス利用プログラムＰＧ２からの印刷指示や設定指示を受け付けることができる場合には、すなわち、自身が、デバイス利用プログラムＰＧ２によって利用可能なデバイスである場合には、コマンドに対する応答として、機種情報を送信する。本実施例では、携帯端末４００は、問い合わせコマンドに対する応答として、複合機２００Ａ、２００Ｂから機種情報を受信する。機種情報には、送信元のデバイスを特定するための情報、具体的には、複合機２００Ａ、２００Ｂの機種名や、複合機２００Ａ、２００ＢのＩＰアドレスが含まれている。
【００５４】
ステップＳ１３では、ＣＰＵ４１０は、取得できた機種情報を用いて、機種指定画像ＯＩ１を、携帯端末４００の表示部４８０に表示して、ユーザからデバイスの指定を受け付ける。機種指定画像ＯＩ１は、機種情報を取得できた複数個のデバイスの中から、ユーザが１個のデバイスを指定するための画像である。
【００５５】
図５は、ＵＩ画像の遷移を示す状態遷移図である。図５には、ＵＩ画像の１つである機種指定画像ＯＩ１が図示されている。機種指定画像ＯＩ１は、指定可能な複数個のデバイスを示す複数個の項目ＤＮ１、ＤＮ２と、項目ＤＮ１、ＤＮ２を選択するためのカーソルＣＳと、ユーザへのメッセージＭＳ１と、を含んでいる。項目ＤＮ１、ＤＮ２は、例えば、対応するデバイス名（本実施例では、複合機２００Ａと、複合機２００Ｂ）を含む。メッセージＭＳ１は、ＮＦＣ通信が利用可能であることをユーザに教示するメッセージを含む。
【００５６】
ステップＳ１４では、ＣＰＵ４１０は、機種指定画像ＯＩ１を介して、１個のデバイスの指定を受け付けたか否かを判断する。１個のデバイスの指定が受け付けられた場合には（ステップＳ１４：ＹＥＳ）、ＣＰＵ４１０は、指定されたデバイスの機能情報を、通常ＷＦ通信を用いて取得する（ステップＳ１５）。例えば、複合機２００Ａの指定が受け付けられた場合には、図２（Ａ）の機能情報ＦＤａが取得される。具体的には、ＣＰＵ４１０は、指定された複合機２００Ａに対して、機能情報を要求するコマンドを送信する。複合機２００Ａは、当該コマンドを受信すると、当該コマンドの送信元に、機能情報ＦＤａを送信する。したがって、ＣＰＵ４１０は、当該コマンドに対する応答として、機能情報ＦＤａを取得する。
【００５７】
機能情報が取得されると、ステップＳ１６では、ＣＰＵ４１０は、指定されたデバイスのための遠距離用選択画像を表示部４８０に表示する。例えば、複合機２００Ａが指定された場合には、ＣＰＵ４１０は、複合機２００Ａのための遠距離用選択画像ＳＩ１（図５）を、表示部４８０に表示する。
【００５８】
遠距離用選択画像ＳＩ１は、複合機２００Ａに関する設定指示を受け付けるための複数個の設定指示用項目ＳＭ１、ＳＭ２と、複合機２００Ａに対する実行指示を受け付けるための複数個の実行指示用項目ＥＭ１、ＥＭ２と、を含む。第１の設定指示用項目ＳＭ１は、複合機２００Ａが実行可能な画像処理である印刷処理に関する設定指示用項目である。第２の設定指示用項目ＳＭ２は、複合機２００Ａが実行可能な画像処理であるスキャン処理に関する設定指示用項目である。第１の実行指示用項目ＥＭ１は、複合機２００Ａに対して印刷処理の実行を指示する実行指示用項目である。第２の実行指示用項目ＥＭ２は、複合機２００Ａに対してスキャン処理の実行を指示する実行指示用項目である。印刷処理に関する設定指示は、例えば、用紙サイズ、印刷解像度、印刷色（カラーやモノクロ）に関する設定が含まれ得る。また、スキャンに関する設定は、読取解像度、スキャンデータのファイル形式などに関する設定が含まれ得る。複数個の設定指示用項目ＳＭ１、ＳＭ２の全体は、第１の項目の例であり、複数個の実行指示用項目ＥＭ１、ＥＭ２の全体は、第２の項目の例である。そして、個々の項目、すなわち、４個の項目ＳＭ１、ＳＭ２、ＥＭ１、ＥＭ２のそれぞれは、サブ項目の例である。
【００５９】
遠距離用選択画像ＳＩ１は、ユーザと複合機２００Ａとの距離が比較的離れている場合に表示されることが想定されている。遠距離用選択画像ＳＩ１では、設定指示用項目ＳＭ１、ＳＭ２が、実行指示用項目ＥＭ１、ＥＭ２より優先的に表示される。具体的には、設定指示用項目ＳＭ１、ＳＭ２は、実行指示用項目ＥＭ１、ＥＭ２より表示順序が上位（図５の上側）に表示される。
【００６０】
なお、複数個の設定指示用項目ＳＭ１、ＳＭ２の中では、印刷処理に関する第１の設定指示用項目ＳＭ１が、スキャン処理に関する第２の設定指示用項目ＳＭ２より表示順序が上位に表示されている。また、複数個の第１の実行指示用項目ＥＭ１、ＥＭ２の中では、印刷処理の実行を指示する第１の実行指示用項目ＥＭ１が、スキャン処理の実行を指示する第２の実行指示用項目ＥＭ２より表示順序が上位に表示されている。これらの表示順序は、デフォルトの表示順序であり、例えば、機能情報ＦＤａ（図２）に記述された並び順に従った表示順序である。
【００６１】
なお、遠距離用選択画像ＳＩ１にて、設定指示用項目ＳＭ１、ＳＭ２、実行指示用項目ＥＭ１、ＥＭ２のうちのいずれかが選択された場合には、選択に応じて詳細選択画像などが表示されてユーザの設定指示や実行指示が受け付けられる。具体的には、遠距離用選択画像ＳＩ１にて、第１の設定指示用項目ＳＭ１が選択された場合には、印刷に関する複数個の設定項目、例えば、印刷解像度を設定するための項目や、用紙サイズを設定するための項目を含む詳細選択画像が表示される。また、遠距離用選択画像ＳＩ１にて、第１の実行指示用項目ＥＭ１が選択された場合には、印刷実行の可否を選択するための２個の項目、具体的には、印刷の開始を指示するための項目と、印刷の中止を指示するための項目と、を含む詳細選択画像が表示される。そして、遠距離用選択画像ＳＩ１、および、詳細選択画像を介してユーザの設定指示や実行指示が受け付けられた場合には、ユーザが希望する設定指示や実行指示が、通常ＷＦ通信を用いて、対応するデバイス（例えば、複合機２００Ａ）に送信される。そして、当該設定指示や実行指示に基づいて、対応するデバイスが設定処理の実行や、画像処理の実行を行う。これらについての詳細な説明は省略する。後述する他の選択画像ＳＩ２〜ＳＩ５についても同様である。
【００６２】
なお、ステップＳ１４にて、複合機２００Ｂの指定が受け付けられた場合には、ステップＳ１５にて、複合機２００Ｂの機能情報ＦＤｂ（図２（Ｂ））が取得され、ステップＳ１５にて、複合機２００Ｂのための遠距離用選択画像（図示省略）が表示される。複合機２００Ｂのための遠距離用選択画像では、複合機２００Ａのための遠距離用選択画像ＳＩ１（図５）と同様に、設定指示用項目が、実行指示用項目より優先的に表示される。
【００６３】
上述したステップＳ１４にて、機種指定画像ＯＩ１（図５）を介して、１個のデバイスの指定が受け付けられていない場合には（ステップＳ１４：ＮＯ）、ＣＰＵ４１０は、ＮＦＣ通信の接続（単に、ＮＦＣ接続とも呼ぶ）が確立されたか否かを判断する（ステップＳ２３）。ＮＦＣ接続が確立されていない場合には（ステップＳ２３：ＮＯ）、ＣＰＵ４１０は、機種指定画像ＯＩ１の表示を維持したまま、ステップＳ１４に戻る。ＮＦＣ接続が確立された場合には（ステップＳ２３：ＹＥＳ）、ＣＰＵ４１０は、ステップＳ２４に移行する。すなわち、機種指定画像ＯＩ１が表示された状態で、１個のデバイスの指定が受け付けられる前に、ＮＦＣ接続が確立された場合には、ＣＰＵ４１０は、ステップＳ２４に移行する。
【００６４】
ステップＳ２４では、ＣＰＵ４１０は、ＮＦＣ通信の接続が確立されたデバイスの機能情報を、ＷＦＤ通信を用いて取得する。例えば、複合機２００Ａと携帯端末４００との間で、ＮＦＣ通信の接続が確立された場合には、図２（Ａ）の機能情報ＦＤａが取得される。具体的には、ＣＰＵ４１０は、ステップＳ１５と同様に、複合機２００Ａに対して機能情報を要求するコマンドを送信することによって、当該コマンドに対する応答として機能情報ＦＤａを取得する。
【００６５】
機能情報が取得されると、ステップＳ２５では、ＣＰＵ４１０は、ＮＦＣ通信の接続が確立されたデバイスのための近距離用選択画像を表示部４８０に表示する。例えば、複合機２００Ａと携帯端末４００とのＮＦＣ通信の接続が確立された場合には、ＣＰＵ４１０は、複合機２００Ａのための近距離用選択画像ＳＩ２（図５）を、表示部４８０に表示する。近距離用選択画像は、ユーザと複合機２００Ａとの距離が比較的近い場合に表示されることが想定されている。
【００６６】
近距離用選択画像ＳＩ２は、上述した遠距離用選択画像ＳＩ１と同様に、複合機２００Ａのための複数個の設定指示用項目ＳＭ１、ＳＭ２と、複数個の実行指示用項目ＥＭ１、ＥＭ２と、を含む。近距離用選択画像ＳＩ２では、上述した遠距離用選択画像ＳＩ１とは異なり、実行指示用項目ＥＭ１、ＥＭ２が、設定指示用項目ＳＭ１、ＳＭ２より優先的に表示される。具体的には、実行指示用項目ＥＭ１、ＥＭ２は、設定指示用項目ＳＭ１、ＳＭ２より表示順序が上位（図５の上側）に表示される。
【００６７】
なお、複数個の設定指示用項目ＳＭ１、ＳＭ２の中では、遠距離用選択画像ＳＩ１と同様に、印刷処理に関する第１の設定指示用項目ＳＭ１が、スキャン処理に関する第２の設定指示用項目ＳＭ２より表示順序が上位に表示されている。また、複数個の第１の実行指示用項目ＥＭ１、ＥＭ２の中では、印刷処理の実行を指示する第１の実行指示用項目ＥＭ１が、スキャン処理の実行を指示する第２の実行指示用項目ＥＭ２より表示順序が上位に表示されている。
【００６８】
なお、遠距離用選択画像ＳＩ１と、近距離用選択画像ＳＩ２と、では、表示される複数個の項目（すなわち、４種類の項目ＥＭ１、ＥＭ２、ＳＭ１、ＳＭ２）は同じである。
【００６９】
なお、ステップＳ２３にて、複合機２００Ｂと携帯端末４００との間で、ＮＦＣ通信の接続が確立された場合には（ステップＳ２３：ＹＥＳ）、ステップＳ２４にて、図２（Ｂ）の機能情報ＦＤｂが取得され、ステップＳ２５にて、複合機２００Ｂのための近距離用選択画像ＳＩ５（図５）が表示される。複合機２００Ｂのための近距離用選択画像ＳＩ５は、設定指示用項目ＳＭ１、ＳＭ２に加えて、ファックス処理に関する第３の設定指示用項目ＳＭ３を含み、実行指示用項目ＥＭ１、ＥＭ２に加えて、ファックス処理の実行を指示する第３の実行指示用項目ＥＭ３を含んでいる。複合機２００Ｂのための近距離用選択画像ＳＩ５では、複合機２００Ａのための近距離用選択画像ＳＩ２（図５）と同様に、３個の実行指示用項目ＥＭ１〜ＥＭ３が、３個の設定指示用項目ＳＭ１〜ＳＭ３より優先的に表示される。
【００７０】
近距離用選択画像（例えば、複合機２００Ａのための近距離用選択画像ＳＩ２や複合機２００Ｂのための近距離用選択画像ＳＩ５）が表示部４８０に表示されている状態では、ＣＰＵ４１０は、別のデバイスとのＮＦＣ通信の接続が確立されたか否かを判断する（ステップＳ２６）。別のデバイスは、現在、表示部４８０に表示されている選択画像に対応するデバイス（単に現在のデバイスとも呼ぶ）とは異なるデバイスである。現在のデバイスは、例えば、ステップＳ２３にてＮＦＣ通信の接続が確立されたデバイスである。例えば、ステップＳ２３にて、複合機２００ＡとのＮＦＣ通信の接続の確立され、現在、複合機２００Ａのための近距離用選択画像ＳＩ２が表示されている場合には、複合機２００Ａが現在のデバイスである。したがって、複合機２００Ａのための近距離用選択画像ＳＩ２が表示されている場合に、複合機２００Ｂと携帯端末４００との間にＮＦＣ通信の接続が確立された場合には、別のデバイスとのＮＦＣ通信の接続が確立されたと判断される。
【００７１】
別のデバイスとのＮＦＣ接続が確立されていない場合には（ステップＳ２６：ＮＯ）、ＣＰＵ４１０は、現在表示されている選択画像（例えば、近距離用選択画像ＳＩ２や、遠距離用選択画像ＳＩ１）の表示を維持したまま、別のデバイスとのＮＦＣ接続が確立されたか否かの監視を続ける。
【００７２】
別のデバイスとのＮＦＣ接続が確立された場合には（ステップＳ２６：ＹＥＳ）、ＣＰＵ４１０は、新たにＮＦＣ通信の接続が確立された別のデバイスの機能情報を、ＷＦＤ通信を用いて取得する（ステップＳ２７）。例えば、ステップＳ２３にて複合機２００ＡとのＮＦＣ通信の接続の確立を経た後に（すなわち、複合機２００Ａとの近距離用選択画像ＳＩ２が表示部４８０に表示されている間に）、新たに複合機２００Ｂと携帯端末４００との間で、ＮＦＣ通信の接続が確立された場合には、図２（Ｂ）の機能情報ＦＤｂが取得される。具体的には、ＣＰＵ４１０は、複合機２００Ｂに対して機能情報を要求するコマンドを送信することによって、当該コマンドに対する応答として機能情報ＦＤｂを取得する。
【００７３】
ステップＳ２８では、現在のデバイスと、ステップＳ２６にてＮＦＣ接続が確立された別のデバイスとの間の機能差を、両方のデバイスの機能情報を用いて特定する。機能差は、別のデバイスにて実行できる機能であって、現在のデバイスにて実行できない機能である。例えば、現在のデバイスが複合機２００Ａであり、別のデバイスが複合機２００Ｂである場合には、複合機２００Ａの機能情報ＦＤａと、複合機２００Ｂの機能情報ＦＤｂと、を比較して、差分を抽出することによって、機能差が特定される。
【００７４】
図２（Ａ）および図２（Ｂ）に示すように、複合機２００Ａでは、ファックス処理は実行できないが、複合機２００Ｂでは、ファックス処理を実行できる。また、複合機２００Ａの印刷処理では、Ａ３印刷を実行できないが、複合機２００Ｂでは、Ａ３印刷を実行できる。複合機２００Ａのスキャン処理と、複合機２００Ｂのスキャン処理と、の間では、機能差はない。したがって、現在のデバイスが複合機２００Ａであり、別のデバイスが複合機２００Ｂである場合には、ファックス処理と印刷処理が、機能差を含む画像処理であり、スキャン処理が機能差を含まない画像処理である。
【００７５】
一方、ステップＳ２３にてＮＦＣ通信の接続が確立されたデバイス（現在のデバイス）が複合機２００Ｂであり、ステップＳ２６にてＮＦＣ通信の接続が確立されたデバイス（別のデバイス）が複合機２００Ａである場合には、複合機２００Ａにて実行できる機能であって、複合機２００Ｂにて実行できない機能がないので、機能差はないものと判断される。
【００７６】
ステップＳ２９では、ＣＰＵ４１０は、特定された機能差に基づいて、近距離用選択画像にて表示すべき複数個の項目の優先順位、本実施例では、表示順序を決定する。具体的には、機能差を含む画像処理に関する項目が、機能差を含まない画像処理に関する項目より優先的に表示されるように、表示順序が決定される。機能差がない場合には、デフォルトの表示順序、すなわち、機能情報（図２）の並び順に従って表示順序が決定される。
【００７７】
ステップＳ３０では、ＣＰＵ４１０は、現在表示されている選択画像に代えて、項目の表示順序が変更された近距離用選択画像を表示部４８０に表示する。図５には、本ステップで表示される近距離用選択画像の例として、複合機２００Ｂのための近距離用選択画像ＳＩ４が示されている。この例は、現在のデバイスが複合機２００Ａであり、別のデバイスが複合機２００Ｂである場合であり、本ステップにて、複合機２００Ａの近距離用選択画像ＳＩ２に代えて、近距離用選択画像ＳＩ４が表示される。この近距離用選択画像ＳＩ４は、デフォルトの近距離用選択画像ＳＩ５と比較して、項目の表示順序が変更されていることが解る。具体的には、近距離用選択画像ＳＩ４において、３個の実行指示用項目ＥＭ１〜ＥＭ３のうち、機能差を含む画像処理（具体的には、印刷処理とファックス処理）の実行を指示する２個の実行指示用項目ＥＭ１、ＥＭ３が、機能差を含まないスキャン処理の実行を指示する第２の実行指示用項目ＥＭ２より表示順序が上位に表示されている。そして、近距離用選択画像ＳＩ４において、３個の設定指示用項目ＳＭ１〜ＳＭのうち、機能差を含む画像処理（具体的には、印刷処理とファックス処理）に関する２個の設定指示用項目ＳＭ１、ＳＭ３が、機能差を含まないスキャン処理に関する第２の設定指示用項目ＳＭ２より表示順序が上位に表示されている。
【００７８】
なお、近距離用選択画像ＳＩ４では、デフォルトの近距離用選択画像ＳＩ５と同様に、３個の実行指示用項目ＥＭ１〜ＥＭ３が、３個の設定指示用項目ＳＭ１〜ＳＭ３より表示順序が上位に表示されている。
【００７９】
一方、ステップＳ２３にてＮＦＣ通信の接続が確立されたデバイス（現在のデバイス）が複合機２００Ｂであり、ステップＳ２６にてＮＦＣ通信の接続が確立されたデバイス（別のデバイス）が複合機２００Ａである場合では、機能差がない（すなわち、複合機２００Ａが実行可能な画像処理の機能は、複合機２００Ｂが全て実行可能である）。したがって、ステップＳ３０にて、例えば、複合機２００Ａのためのデフォルトの近距離用選択画像ＳＩ２が表示される（図５）。
【００８０】
ステップＳ１６にて、指定されたデバイスのための遠距離用選択画（複合機２００Ａのための遠距離用選択画像ＳＩ１（図５））が表示された後のステップＳ１７では、ＣＰＵ４１０は、上述したステップＳ２３と同様に、ＮＦＣ通信の接続が確立されたか否かを判断する。
【００８１】
ＮＦＣ接続が確立されていない場合には（ステップＳ１７：ＮＯ）、ＣＰＵ４１０は、遠距離用選択画像の表示を維持したまま、ＮＦＣ接続が確立されたか否かの監視を続ける。
【００８２】
ＮＦＣ接続が確立された場合には（ステップＳ１７：ＹＥＳ）、ＣＰＵ４１０は、ステップＳ１４にて指定されたデバイス、すなわち、現在表示されている遠距離用選択画像に対応するデバイスと、ＮＦＣ接続が確立されたデバイスは、同じであるか否かを判断する（ステップＳ１８）。例えば、複合機２００Ａのための遠距離用選択画像ＳＩ１（図５）が表示されているときに、複合機２００Ａと携帯端末４００とのＮＦＣ接続が確立された場合には、ステップＳ１４にて指定されたデバイスと、ＮＦＣ接続が確立されたデバイスは、同じであると判断される。また、複合機２００Ａのための遠距離用選択画像ＳＩ１（図５）が表示されているときに、複合機２００Ｂと携帯端末４００とのＮＦＣ接続が確立された場合には、ステップＳ１４にて指定されたデバイスと、ＮＦＣ接続が確立されたデバイスは、異なると判断される。
【００８３】
ステップＳ１４にて指定されたデバイスと、ＮＦＣ接続が確立されたデバイスが異なる場合には（ステップＳ１８：ＮＯ）、ＣＰＵ４１０は、ステップＳ２７に処理を移行する。この結果、上述したステップＳ２７〜Ｓ３０の処理が実行されて、項目の表示順序が変更された近距離用選択画像が表示部４８０に表示される。例えば、複合機２００Ａのための遠距離用選択画像ＳＩ１に代えて、複合機２００Ｂのための近距離用選択画像ＳＩ４が表示部４８０に表示される。
【００８４】
ステップＳ１４にて指定されたデバイスと、ＮＦＣ接続が確立されたデバイスが同じである場合には（ステップＳ１８：ＹＥＳ）、ＣＰＵ４１０は、現在表示されている遠距離用選択画像に含まれる設定指示用項目がユーザによって選択されることによって、設定指示が行われたか否かを判断する（ステップＳ１９）。
【００８５】
設定指示が行われていない場合には（ステップＳ１９：ＮＯ）、ＣＰＵ４１０は、ステップＳ２５に処理を進める。この結果、ＮＦＣ通信の接続が確立されたデバイスのための近距離用選択画像が表示部４８０に表示される。例えば、複合機２００Ａと携帯端末４００とのＮＦＣ通信の接続が確立された場合には、複合機２００Ａのための近距離用選択画像ＳＩ２（図５）が表示部４８０に表示される。
【００８６】
設定指示が行われている場合には（ステップＳ１９：ＹＥＳ）、ＣＰＵ４１０は、現在表示されている遠距離用選択画像に含まれる複数個の設定指示用項目のうち、選択された項目はいずれであるかを判断する（ステップＳ２０）。例えば、現在、複合機２００Ａのための遠距離用選択画像ＳＩ１が表示されている場合には、遠距離用選択画像ＳＩ１の複数個の設定指示用項目ＳＭ１、ＳＭ２のうちのいずれの項目がユーザによって選択されたかが判断される。
【００８７】
ステップＳ２１では、ＣＰＵ４１０は、選択された設定指示用項目に基づいて、近距離用選択画像にて表示すべき複数個の項目の優先順位、本実施例では、表示順序を決定する。具体的には、選択された設定指示用項目に対応する画像処理に関する項目が、選択されていない設定指示用項目に対応する画像処理に関する項目より優先的に表示されるように、表示順序が決定される。
【００８８】
ステップＳ２２では、ＣＰＵ４１０は、現在表示されている選択画像に代えて、項目の表示順序が変更された近距離用選択画像を表示部４８０に表示する。図５には、本ステップで表示される近距離用選択画像の例として、複合機２００Ａのための近距離用選択画像ＳＩ３が示されている。ここでは、遠距離用選択画像ＳＩ１にて、スキャン処理に関する第２の設定指示用項目ＳＭ２がユーザによって選択されて、スキャン処理に関する設定指示が行われた例を示す。この近距離用選択画像ＳＩ３は、デフォルトの近距離用選択画像ＳＩ２と比較して、項目の表示順序が変更されていることが解る。具体的には、近距離用選択画像ＳＩ３において、２個の実行指示用項目ＥＭ１、ＥＭ２のうち、スキャン処理の実行を指示する第２の実行指示用項目ＥＭ２が、印刷処理の実行を指示する第１の実行指示用項目ＥＭ１より表示順序が上位に表示されている。そして、近距離用選択画像ＳＩ３において、２個の設定指示用項目ＳＭ１、ＳＭ２のうち、スキャン処理に関する第２の設定指示用項目ＳＭ２が、印刷処理に関する第１の設定指示用項目ＳＭ１より表示順序が上位に表示されている。
【００８９】
ステップＳ２２の後、および、ステップＳ３０の後、処理は、ステップＳ２６に移行されて別のデバイスとのＮＦＣ通信の接続が確立されたか否かが判断される。
【００９０】
なお、選択画像ＳＩ１〜ＳＩ５のいずれかの画像内で、ユーザによって、実行指示用項目ＥＭ１、ＥＭ２、ＥＭ３のうちのいずれかが選択された場合には、上述したように、選択に応じて詳細選択画像などが表示されてユーザの実行指示が受け付けられる。具体的には、第１の実行指示用項目ＥＭ１が選択された場合には、印刷実行の可否を選択するための２個の項目、具体的には、印刷の開始を指示するための項目と、印刷の中止を指示するための項目と、を含む詳細選択画像が表示される。そして、これらの選択画像ＳＩ１、および、詳細選択画像を介してユーザの実行指示が受け付けられた場合には、ＣＰＵ４１０は、ユーザが希望する実行指示を、通常ＷＦ通信あるいはＷＦＤ通信を用いて、対応するデバイス（例えば、複合機２００Ａ）に送信する。すなわち、ＣＰＵ４１０は、受け付けられたユーザの実行指示に基づいて、対応するデバイス（例えば、複合機２００Ａ）に対して画像処理（例えば、印刷処理やスキャン処理）の実行を指示する。
【００９１】
以上説明した本実施例によれば、ＣＰＵ４１０は、複合機２００Ａのための遠距離用選択画像ＳＩ１を表示部４８０に表示させる（ステップＳ１６）前に、携帯端末４００と複合機２００Ａとが、ＮＦＣ通信を用いて接続された場合に（ステップＳ２３：ＹＥＳ）、近距離用選択画像ＳＩ２を表示部４８０に表示させる（ステップＳ２５）。遠距離用選択画像ＳＩ１では、上述したように、２個の設定指示用項目ＳＭ１、ＳＭ２が、２個の実行指示用項目ＥＭ１、ＥＭ２より優先的に表示される。また、近距離用選択画像ＳＩ２では、２個の実行指示用項目ＥＭ１、ＥＭ２が、２個の設定指示用項目ＳＭ１、ＳＭ２より優先的に表示される。したがって、ＮＦＣ通信を用いて携帯端末４００と複合機２００Ａとが接続されたか否かに応じて、優先的に表示される項目が互いに異なる選択画像が携帯端末４００の表示部４８０に表示される。したがって、携帯端末４００の表示部４８０に、複数個の項目を適切に表示することができる。
【００９２】
より具体的に説明すると、ＮＦＣ通信は、通常ＷＦ通信やＷＦＤ通信と比較して、通信可能な距離が短い方式である。したがって、通信可能な距離が比較的短いＮＦＣ通信の接続が確立されたか否かに応じて優先的に表示される項目が互いに異なる選択画像が端末装置の表示部に表示される。この結果、端末装置と第１の画像処理装置との距離が比較的短いか否かに応じて、優先的に表示される項目が互いに異なる選択画像が携帯端末４００の表示部４８０に表示される。
【００９３】
複合機２００Ａに画像処理を実行させる場合には、ユーザは、これらの画像処理の実行準備や、画像処理の実行結果の確認などが必要となる場合が多い。画像処理の実行準備は、例えば、スキャン処理やファックス処理のために、スキャナ部２５０に原稿をセットすることや、プリンタ部２４０に印刷用紙をセットすること、を含む。画像処理の実行結果の確認は、例えば、印刷処理の印刷結果の確認を含む。また、印刷処理の場合は、印刷原稿の回収も必要になる。このために、ユーザ（携帯端末４００）が、実行指示の対象のデバイスに比較的近い位置に存在する場合には、画像処理の実行指示が行われる可能性が比較的高く、ユーザが実行指示の対象のデバイスから比較的遠い位置に存在する場合には、画像処理の実行指示が行われる可能性が比較的低いと、考えられる。したがって本実施例によれば、画像処理の実行指示が行われる可能性が比較的高い場合に、実行指示を受け付けるための項目が携帯端末４００の表示部４８０に優先的に表示され、画像処理の実行指示が行われる可能性が比較的低い場合に、設定指示を受け付けるための項目が携帯端末４００の表示部４８０に優先的に表示される。この結果、ユーザに選択される可能性が高い項目を優先的に表示することで、選択画像の利便性を向上することができる。
【００９４】
また、遠距離用選択画像ＳＩ１と、近距離用選択画像ＳＩ２と、では、表示される複数個の項目（すなわち、４種類の項目ＥＭ１、ＥＭ２、ＳＭ１、ＳＭ２）は同じである。したがて、表示される複数個の項目が同じであるにも拘わらずに、優先的に表示される項目が互いに異なる選択画像が携帯端末４００の表示部４８０に表示される。この結果、より利便性が向上した選択画像を表示部に表示し得る。
【００９５】
また、ＣＰＵ４１０は、複合機２００Ａのための遠距離用選択画像ＳＩ１を介してユーザから特定の操作が受け付けられた後に、携帯端末４００と複合機２００ＡとがＮＦＣ通信を用いて接続された場合に、近距離用選択画像ＳＩ２とは異なる近距離用選択画像ＳＩ３を表示部４８０に表示させる。この結果、遠距離用選択画像ＳＩ１を介してユーザから特定の操作が受け付けられた後か否かに応じて、互いに異なる選択画像が端末装置の表示部４８０に表示される。したがって、携帯端末４００の表示部４８０に、より適切な選択画像を表示し得る。特定の操作は、例えば、遠距離用選択画像ＳＩ１内に含まれるユーザが選択可能な複数個の項目のうちの少なくとも１個がユーザによって選択されること、を含む。
【００９６】
より具体的に説明すると、ＣＰＵ４１０は、複合機２００Ａのための遠距離用選択画像ＳＩ１が表示部４８０に表示された（ステップＳ１６）後に、ＮＦＣ通信を用いて複合機２００Ａと携帯端末４００とが接続され（ステップＳ１７：ＹＥＳ）、かつ、遠距離用選択画像ＳＩ１を介して設定指示が実行された場合に（ステップＳ１９：ＹＥＳ）、選択された設定指示用項目が、いずれであるかを判断する（ステップＳ２０）。そして、ＣＰＵ４１０は、選択された項目に対応する画像処理に関する項目が、選択されなかった項目に対応する画像処理に関する項目より優先的に表示される近距離用選択画像ＳＩ３を、表示部４８０に表示する（ステップＳ２２）。
【００９７】
遠距離用選択画像ＳＩ１において、画像処理に関する項目（例えば、スキャン処理に関する設定指示用項目）が選択された場合には、ユーザは選択された項目に対応する画像処理機能（例えば、スキャン処理）を利用する可能性が高いと考えられる。本実施例によれば、利用される可能性が高い画像処理機能に関する項目（例えば、スキャン処理の実行を指示する実行指示用項目）を優先的に表示することができる。したがって、したがって、携帯端末４００の表示部４８０に、複数個の項目をより適切に表示することができる。
【００９８】
さらに本実施例では、ＣＰＵ４１０は、複合機２００Ａのための選択画像が表示された（ステップＳ２５またはステップＳ２２）後に、ＮＦＣ通信を用いて携帯端末４００と複合機２００Ｂとが接続された場合（ステップＳ２６：ＹＥＳ）に、複合機２００Ｂのための近距離用選択画像ＳＩ４を表示部４８０に表示させる（ステップＳ３０）。この近距離用選択画像ＳＩ４は、複合機２００Ａのための選択画像が表示されることなく、携帯端末４００と複合機２００Ｂとが接続された場合に（ステップＳ２３：ＹＥＳ）、表示部４８０に表示される（ステップＳ２５）複合機２００Ｂのための近距離用選択画像ＳＩ５とは、互いに異なる。この結果、複合機２００Ｂのための選択画像として、より適切な画像を携帯端末４００の表示部４８０に表示し得る。
【００９９】
具体的には、近距離用選択画像ＳＩ４では、複合機２００Ｂにて実行できる機能であって、複合機２００Ａにて実行できない機能（例えば、Ａ４印刷）を含む画像処理（例えば、印刷処理）に関する項目が、他の画像処理（例えば、スキャン処理）に関する項目より
優先的に表示される。
【０１００】
特定のデバイス（例えば、複合機２００Ａ）のための選択画像（例えば、遠距離用選択画像ＳＩ１や近距離用選択画像ＳＩ２）が表示された後に、別のデバイス（例えば、複合機２００Ｂ）とのＮＦＣ通信の接続が確立された場合には、ユーザは、利用すべきデバイスを、特定のデバイスから別のデバイスに変更したと考えられる。この場合には、特定のデバイスでは実行できない機能であって、別のデバイスでは実行できる機能をユーザが利用する可能性が比較的高いと考えられる。このために、本実施例によれば、携帯端末４００の表示部４８０に、複数個の項目をより適切に表示することができる。
【０１０１】
また、本実施例によれば、ＣＰＵ４１０は、無線ＬＡＮに接続された複数個のデバイス（例えば、複合機２００Ａと複合機２００Ｂ）の中から、ユーザが１個の装置を指定するための機種指定画像ＯＩ１を表示部２８０に表示させ（ステップＳ１３）、機種指定画像ＯＩ１を介して複合機２００Ａが指定された場合に（ステップＳ１４：ＹＥＳ）、遠距離用選択画像ＳＩ１を表示部４８０に表示させる（ステップＳ１６）。そして、ＮＦＣ通信を用いて携帯端末４００と複合機２００Ａとが接続されることによって、換言すれば、ユーザが携帯端末４００を複合機２００ＡのＮＦＣＩＦ２９５に近づけることによって、複合機２００Ａが指定された場合に、近距離用選択画像ＳＩ２を表示部４８０に表示させる。したがって、複合機２００Ａの指定の態様によって、優先的に表示される項目が互いに異なる選択画像が端末装置の表示部に表示される。したがって、携帯端末４００の表示部４８０に、複数個の項目をより適切に表示することができる。
【０１０２】
以上のように、本実施例によれば、携帯端末４００の表示部４８０に、選択画像に含まれる複数個の項目をより適切に表示することができる。この結果、複合機２００Ａや複合機２００Ｂなどのデバイスと無線通信を行って、複合機２００Ａや複合機２００Ｂに対する指示を実行可能な携帯端末４００の利便性を向上することができる。
【０１０３】
Ｂ．変形例：
（１）特定の項目を他の項目より優先的に表示するとは、ユーザが他の項目より特定の項目を選択しやすいような態様で表示することを意味する。上記実施例では、ＣＰＵ４１０は、優先的に表示すべき項目を、他の項目より表示順序が上位になるように表示している。これに代えて、ＣＰＵ４１０は、優先的に表示すべき項目を、他の項目より大きく表示しても良く、他の項目より太い文字で表示しても良い。また、ＣＰＵ４１０は、優先的に表示すべき項目を表示し、他の項目は表示しないこととしても良い。
【０１０４】
（２）上記実施例におけるＮＦＣ通信に代えて、比較的通信可能な距離が短い他の通信方式が採用されても良い。例えば、Ｂｌｕｅｔｏｏｔｈ（登録商標）、赤外線通信、ＴｒａｎｓｆｅｒＪｅｔ（登録商標）などが採用されても良い。また、上記実施例における通常ＷＦ通信やＷＦＤ通信に代えて、比較的通信可能な距離が長い他の通信方式が採用されても良い。例えば、基地局と４００との間で実行される携帯電話通信の方式（例えば、Ｗ−ＣＤＭＡ）に準拠する無線通信が採用されても良い。この場合には、例えば、複合機２００Ａや複合機２００Ｂは、有線または無線のＬＡＮを介してインターネットに接続される。そして、携帯端末４００と複合機２００Ａ、２００Ｂとの間は、携帯電話通信と、インターネットと、を介して、接続される。
【０１０５】
（３）上記実施例では、携帯端末４００と複合機２００Ａ、２００Ｂとの間でＮＦＣ通信の接続が確立されると、ＷＦＤ通信にハンドオーバーされ、機能情報の通信や指示に関する通信は、ＷＦＤ通信で実行される。これに代えて、機能情報の通信や指示に関する通信は、通常ＷＦ通信で実行されても良く、あるいは、ＮＦＣ通信で実行されても良い。
【０１０６】
（４）上記実施例では、画像処理装置の例として、複合機２００Ａ、２００Ｂを挙げているが、画像処理装置としては、他の様々なデバイス、例えば、単体のプリンタやスキャナ、デジタルカメラなどが採用されても良い。選択画像ＳＩ１〜ＳＩ５に含まれる項目の具体的内容は、採用される画像処理装置が実行できる画像処理装置の内容に応じて適宜に変更される。
【０１０７】
（５）携帯端末４００は、図５に示す５個の選択画像ＳＩ１〜ＳＩ５の全てを表示可能である必要はなく、５個の選択画像ＳＩ１〜ＳＩ５の一部だけを表示可能であっても良い。具体的には、近距離用選択画像ＳＩ３や近距離用選択画像ＳＩ４を表示する機能は省略されても良い。この場合には、図４のフローチャートで示す処理は、省略される表示機能に応じて適宜に簡略化される。
【０１０８】
（６）上記実施例では、選択画像ＳＩ１〜ＳＩ５には、設定指示用項目と、実行指示用項目と、が表示されているが、他の項目が加えられても良い。例えば、複合機２００Ａや複合機２００Ｂの装置状態（ステータス）を複合機２００Ａや複合機２００Ｂから取得するためのステータス取得項目が加えられても良い。ステータス取得項目は、設定指示用項目と同様に、複合機２００Ａ、２００Ｂと携帯端末４００との距離が比較的遠い場合には、実行指示用項目より選択される可能性が高く、複合機２００Ａ、２００Ｂと携帯端末４００との距離が比較的近い場合には、実行指示用項目より選択される可能性が低いと考えられる。このために、近距離用選択画像では、実行指示用項目が、ステータス取得項目より優先的に表示されることが好ましく、遠距離用選択画像では、ステータス取得項目が、実行指示用項目より優先的に表示されることが好ましい。
【０１０９】
（７）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【０１１０】
（８）本発明の機能の一部または全部がソフトウェアで実現される場合には、そのソフトウェア（コンピュータプログラム）は、コンピュータ読み取り可能な記録媒体に格納された形で提供することができる。「コンピュータ読み取り可能な記録媒体」は、メモリーカードやＣＤ−ＲＯＭのような携帯型の記録媒体に限らず、各種のＲＡＭやＲＯＭ等のコンピュータ内の内部記憶装置や、ハードディスクドライブ等のコンピュータに接続されている外部記憶装置も含んでいる。
【０１１１】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１１２】
５０...アクセスポイント、２００Ａ、２００Ｂ...複合機、２１０...ＣＰＵ、２２０...揮発性記憶装置、２３１...制御プログラム、２３０...不揮発性記憶装置、２２１...バッファ領域、２４０...プリンタ部、２５０...スキャナ部、２７０...操作部、２８０...表示部、２９０...無線ＬＡＮＩＦ、２９５...電話回線ＩＦ、４００...携帯端末、４１０...ＣＰＵ、４２０...揮発性記憶装置、４３０...不揮発性記憶装置、４４０...無線ＬＡＮＩＦ、４５０...電話ＩＦ、４６０...音声処理部、４７０...操作部、４８０...表示部
【図１】
2015015518.tif 000003
【図２】
2015015518.tif 000004
【図３】
2015015518.tif 000005
【図４】
2015015518.tif 000006
【図５】
2015015518.tif 000007